(57)【要約】【課題】爪先歩行によって健康を促進する履物において、爪先歩行を容易にするために適切な角度をとり、且つ少ない部材でコストの安い健康サンダルを提供するものである。【解決手段】本考案の履物は一体の板状素材を山形状に形成して、足の土踏まず部が最頂部となるようにし、前記土踏まず部から爪先部にかけての角度が３０度から３６度以内になるように構成したものである。【選択図】図１
0003138701.tif 000002
【実用新案登録請求の範囲】
【請求項１】
一体の板状素材から成る履物であって、足の土踏まず部が最頂部となるコブ上の突起を有したことを特徴とする健康サンダル。
【請求項２】
請求項１に記載の健康サンダルにおいて、前記土踏まず部から爪先部にかけての角度が３０度から３６度以内であることを特徴とする健康サンダル。
【請求項３】
請求項１に記載の健康サンダルにおいて、前記一体の板状素材が曲げ加工した木材を用いたことを特徴とする健康サンダル。
【請求項４】
請求項１に記載の健康サンダルにおいて、前記一体の板状素材が成型加工したプラスチックを用いたことを特徴とする健康サンダル。
【請求項５】
請求項１に記載の健康サンダルにおいて、前記一体の板状素材で足が接触する部分にスリット状の溝をつけたことを特徴とする健康サンダル。
【考案の詳細な説明】
【技術分野】
【０００１】
本考案は、爪先部から土踏まず部までの角度を大きくして爪先歩行を容易にする履物であって、健康を促進することができるスリッパやサンダル等の履物に関するものである。
【背景技術】
【０００２】
従来より、健康を促進するための履物としては、足裏の土踏まずの圧迫刺激を与える方法や、爪先歩行を促して、足の筋肉、腹筋、背筋を鍛えて余分な脂肪を燃焼させる履物が提案されている。これらは、履物の爪先部から土踏まずの部分にかけて上り傾斜をかけて山形状とすることで、重心を足指部になるようにしてかかとを浮かして爪先立ちを促したり、土踏まずの圧迫刺激を行うものである。
【特許文献１】特開平7-246105号
【特許文献２】実開平6-44401号
【０００３】
しかしながら、つま先歩行による効果を十分に得ようとすると、従来の構成では爪先部から土踏まず部における角度が不十分であった。さらにこの角度を大きくするためには、
土踏まず部を高くする必要があり、そのため履物全体の山形の形状を構成するには部材の量を多く必要とする。また履物全体をいくつかの部材を貼り合わせて山形形状を作る場合は、製造の行程が多くなり、コストアップになるという問題点があった。
【考案の開示】
【考案が解決しようとする課題】
【０００４】
本考案が解決しようとする課題は、従来技術による健康促進するための履物では、つま先歩行を促すための角度が不十分であり、また十分な角度を確保するためには多くの部材を必要としたり、製造の行程が多くなるといった問題点を解決することである。本考案はこうした問題点を解決する上で、つま先歩行のための十分な角度をとり、且つ少ない部材でコストの安い健康サンダルを提供するものである。
【課題を解決するための手段】
【０００５】
前記課題の解決のため、本考案の履物は一体の板状素材を山形状に形成して、足の土踏まず部が最頂部となるようにし、前記土踏まず部から爪先部にかけて傾斜を持たせたものであって、その角度は３０度から３６度以内になるように構成したものが最適である。
【０００６】
また本考案は、爪先立ちしたときの足底部の前滑りを抑制して、安定した爪先歩行ができる健康サンダルを提供するものである。
【考案の効果】
【０００７】
本考案の健康サンダルは、つま先歩行のための十分な角度をとっているので、背筋が伸びて姿勢が良くなるという効果があり、且つ少ない部材でコストの安い健康サンダルを提供するものである。
【考案を実施するための最良の形態】
【０００８】
本考案を実施するため、本考案の健康サンダルは、一体の板状素材を山形状に形成して、足の土踏まず部が最頂部となるようにし、前記土踏まず部から爪先部にかけての角度が３０度から３６度以内になるように構成したものである。
以下本考案の実施例について述べる。
【実施例１】
【０００９】
図１は、本考案の健康サンダルの具体的な実施例を説明する図である。
図１において、１は第１の実施例における健康サンダルの本体、２は台座、３は爪先部、４は土踏まず部、５は踵部、６は緒、７は縁飾り、８は角度、９は滑り止めである。図１において、本体１は、曲げ加工した一体板状の木材からなる台座２に、足を支える布製の緒６と、ゴム材からなる滑り止め９を爪先部３及び踵部５に取り付けたものである。
【００１０】
曲げ加工された木材からなる台座２において、爪先部３から土踏まず部４の角度８が３０度から３６度以内になるように、台座２を形成している。
ここで角度８を３０度以上とすることで、自然と爪先立ちの姿勢になり、爪先立ち歩きをすることでふくらはぎの筋肉が収縮したりまた弛緩したりを繰り返し、比較的短時間で血流が良くなる。角度８が３０度以下の場合では本考案が求める効果が低く、また３６度以上であると足への負担が大きくなってしまう。ただし、角度８が３０度以下であっても効果が薄れるが、爪先立ち歩行する時間を十分かけることによって同じ効果を得ることができる。
【００１１】
緒６の両端には縁飾り７を取りつけ、縁飾り７は足を保持し、台座２と縁飾り７との角度は約９０度に設定される。この角度を約９０度にすることで本体１に速やかに足を挿入することができ、且つ角度８が急峻でもしっかり足を支えることができる。
台座２の下部の爪先部３及び踵部５に取り付けられた滑り止め９としては、衝撃を吸収する軽量スポンジのＥＶＡ等が適している。
【実施例２】
【００１２】
第２図は本考案の健康サンダルの他の具体的な実施形態を説明する図である。
図２において、１aは第２の実施例における健康サンダルの本体、２aは台座である。台座２aは足が接触する部分にスリット状の溝をつけたものである。この溝は、爪先立ちしたときの前滑りを抑制する効果がある。その他の方法としては、台座の上面にＥＶＡ等の軽量スポンジや布等を貼り付けて前滑りを抑制する方法もある。
台座２aは、曲げ加工した木材、或いは樹脂成型したプラスチックから構成される。ただし、この材料に限定されるものではなく、圧縮ダンボールなどその他の素材でもよく、硬質の素材だけでなく、弾性のある素材を使用することも可能である。
【００１３】
本構成の健康サンダルは室内の健康スリッパとしても使用することができるものであり、特に短時間の使用でも爪先立ちで歩くことで、血流を良くすることができる履物である。
【産業上の利用可能性】
【００１４】
本考案の履物は、爪先歩行を促すことで、足の筋肉や腹筋・背筋を鍛えて余分な脂肪を減らすメタボリック対策にも効果があり、また一体形状の構造とすることで安価な価格で提供することができ、産業上利用可能性の高いものである。
【図面の簡単な説明】
【００１５】
【図１】本考案の健康サンダルの実施形態を示す側面図である。
【図２】本考案の健康サンダルの第２の実施形態を示す図であり、本考案の健康サンダルの斜視図である。
【符号の説明】
【００１６】
１  本体
２  台座
３  爪先部
４  土踏まず部
５  踵部
６  緒
７  縁飾り
８  角度
９  滑り止め
１a  本体
２a  台座
【図１】
0003138701.tif 000003
【図２】
0003138701.tif 000004